(57)【要約】【課題】間接活線工具を用いて安全かつ容易に取り付け及び取り外しが可能であり、他のメーカの円筒型カットアウトであっても適用可能な汎用性の高い密閉栓用連結紐取り付け器具を提供する。【解決手段】密閉栓用連結紐取り付け器具１は、円筒型カットアウト１０の密閉栓１３に一端が取り付けられた紐Ｒの他端を、本体部１１に取り付けて固定する器具であり、紐Ｒが取り付けられて間接活線工具により挟持される被挟持部２と、被挟持部２に連結されて円筒型カットアウト１０の本体部１１を挟持する本体挟持部４とを備えている。間接活線工具を用いて被挟持部２を挟持して本体挟持部４を本体部１１に取り付けると、本体挟持部４が本体部１１を挟持するので、安全かつ容易に本体部１１への取り付け及び取り外しが可能になる。【選択図】  図２
2018081751.tif 000002
【特許請求の範囲】
【請求項１】
ヒューズ管を挿入するための開口部が一端に設けられた円筒形状の本体部を備える円筒型カットアウトに、前記開口部を閉止するための密閉栓に一端が取り付けられた紐の他端を取り付ける密閉栓用連結紐取り付け器具であって、
前記紐の他端が取り付けられ、前記本体部に取り付け及び取り外しをする際に間接活線工具により挟持される被挟持部と、
前記被挟持部に連結され、前記本体部を挟持する本体挟持部と、
を備えたことを特徴とする密閉栓用連結紐取り付け器具。
【請求項２】
前記本体挟持部は、弾性部材で形成され、前記弾性部材の弾性力により前記本体部を挟持する、
ことを特徴とする請求項１に記載の密閉栓用連結紐取り付け器具。
【請求項３】
前記本体挟持部は、湾曲して形成された一対のアーム部により構成されている、
ことを特徴とする請求項１または２のいずれか１項に記載の密閉栓用連結紐取り付け器具。
【請求項４】
前記一対のアーム部の両端には、外側に屈曲して延設されている先端部が形成されている、
ことを特徴とする請求項３に記載の密閉栓用連結紐取り付け器具。
【請求項５】
前記本体部には、円盤状に形成された突出部が複数形成され、前記突出部の間に溝部が形成され、
前記本体挟持部は、前記溝部にて前記本体部を挟持する、
ことを特徴とする請求項１ないし４のいずれか１項に記載の密閉栓用連結紐取り付け器具。
【発明の詳細な説明】
【技術分野】
【０００１】
この発明は、円筒型カットアウトの開口部を閉止するための密閉栓に取り付けられた紐を、円筒型カットアウトに取り付けて固定する密閉栓用連結紐取り付け器具に関する。
【背景技術】
【０００２】
各需要家の負荷装置に電力を供給するために設けられている電力供給装置には、例えば変圧器等があり、電柱等の高所に設置されている。また、電柱上には、変圧器とともに各需要家の負荷装置に異常電流が流れないようにするため、ヒューズを内蔵するカットアウトが設置されている。
【０００３】
図３は、電柱等の高所に設置されているカットアウトの例として、円筒型カットアウト１０の例を示す正面図である。この円筒型カットアウト１０は、図３に示すような高圧カットアウトであり、主として、本体部１１と、本体下部１２と、密閉栓１３と、電線接続部１４，１５と、固定部材１６とから構成されている。
【０００４】
本体部１１は、円筒形状に形成された円筒型カットアウト１０の円筒部分であり、例えば、磁器で形成されている。この本体部１１の内部には、定格以上の電流が流れるとその電流を遮断するヒューズ管が装着されている。本体部１１の側面には、円盤状に形成された突出部１１ａが、例えば５つ設けられ、５つの突出部１１ａの間及び突出部１１ａと本体下部１２との間に、例えば５つの溝部１１ｂが形成されている。
【０００５】
本体下部１２は、本体部１１の下方向に延設されてヒューズ管と電線とを接続する部材が収納される箇所であり、例えば、磁器で形成されている。本体下部１２の下部には、ヒューズ管を挿入して本体部１１に装着するために開口部１２ａが、円形に開口して断面略中央部分が凹むように形成されている。
【０００６】
密閉栓１３は、開口部１２ａを閉止するための蓋であり、例えば、樹脂等の電気絶縁性の高い絶縁部材により略円盤状に形成されている。この密閉栓１３の中央部先端には孔が設けられ、その孔に紐Ｒの一端が通されて結束されて取り付けられている。この紐Ｒは、密閉栓１３を円筒型カットアウト１０に固定するためのものであり、紐Ｒの他端は、開口部１２ａに固定されている。
【０００７】
電線接続部１４は、本体部１１に収納されたヒューズ管に下方向から接続される電線を本体下部１２から挿入するための挿入口であり、本体下部１２の側面から延設されて円錐型に形成され、その頂点付近に電線１４ａが挿入されている。電線接続部１５は、本体部１１に収納されたヒューズ管に上方向から接続される電線を本体部１１上部から挿入するための挿入口であり、本体部１１における本体下部１２の反対側である上部に延設されて円錐形に形成され、その頂点付近に電線１５ａが挿入されている。固定部材１６は、円筒型カットアウト１０を例えば電柱に固定するための部材である。
【０００８】
このような円筒型カットアウト１０は、電柱等の高所に露出した状態で設置されていることが多く、塩害地域に設置されていることも多い。そのため、密閉栓１３に取り付けられ、円筒型カットアウト１０の開口部１３に固定されている紐Ｒは、塩害や風雨等により劣化し、途中で切れてしまうことがある。このような場合、活線状態で紐Ｒのみを交換することは容易ではないことから、停電させて円筒型カットアウト１０全体を交換していた。このような交換作業は、作業の手間及び時間がかかっていた。
【０００９】
そのため、円筒型カットアウトの密閉栓に取り付けられた紐の他端にアタッチメントを取り付け、本体部に連結することが可能な円筒型カットアウトが知られている（例えば、特許文献１参照。）。この円筒型カットアウトは、開口部付近に設けられた通用孔にアタッチメントを挿入することで円筒型カットアウトに固定するものであり、間接活線工具にて密閉栓及び紐のみを交換可能にするものである。
【先行技術文献】
【特許文献】
【００１０】
【特許文献１】特開２０１４−１０７１７１号公報
【発明の概要】
【発明が解決しようとする課題】
【００１１】
しかしながら、特許文献１に記載のアタッチメントは小型であるため、間接活線工具では密閉栓及び紐の交換作業が困難であり、危険も伴うものであるという課題があった。また、このようなアタッチメントはメーカによって形状が異なるため、他のメーカの円筒型カットアウトには適用できないという課題があった。
【００１２】
そこでこの発明は、間接活線工具を用いて安全かつ容易に円筒型カットアウトへの取り付け及び取り外しが可能であり、他のメーカの円筒型カットアウトであっても適用可能な汎用性の高い密閉栓用連結紐取り付け器具を提供することを目的とする。
【課題を解決するための手段】
【００１３】
上記課題を解決するために、請求項１の発明は、ヒューズ管を挿入するための開口部が一端に設けられた円筒形状の本体部を備える円筒型カットアウトに、前記開口部を閉止するための密閉栓に一端が取り付けられた紐の他端を取り付ける密閉栓用連結紐取り付け器具であって、前記紐の他端が取り付けられ、前記本体部に取り付け及び取り外しをする際に間接活線工具により挟持される被挟持部と、前記被挟持部に連結され、前記本体部を挟持する本体挟持部と、を備えたことを特徴とする。
【００１４】
この発明では、本体挟持部が、円筒型カットアウトの本体部を挟持する。また、この本体挟持部を本体部に取り付け及び取り外しをする際に、間接活線工具により挟持される被挟持部が本体挟持部に連結されている。また、この被挟持部には、密閉栓に一端が取り付けられた紐の他端が取り付けられている。
【００１５】
請求項２の発明は、請求項１に記載の密閉栓用連結紐取り付け器具において、前記本体挟持部は、弾性部材で形成され、前記弾性部材の弾性力により前記本体部を挟持する、ことを特徴とする。
【００１６】
請求項３の発明は、請求項１または２のいずれか１項に記載の密閉栓用連結紐取り付け器具において、前記本体挟持部は、湾曲して形成された一対のアーム部により構成されている、ことを特徴とする。
【００１７】
請求項４の発明は、請求項３に記載の密閉栓用連結紐取り付け器具において、前記一対のアーム部の両端には、外側に屈曲して延設されている先端部が形成されている、ことを特徴とする。
【００１８】
請求項５の発明は、請求項１ないし４のいずれか１項に記載の密閉栓用連結紐取り付け器具において、前記本体部には、円盤状に形成された突出部が複数形成され、前記突出部の間に溝部が形成され、前記本体挟持部は、前記溝部にて前記本体部を挟持する、ことを特徴とする。
【発明の効果】
【００１９】
請求項１の発明によれば、本体挟持部が円筒型カットアウトの本体部を挟持するので、他のメーカの円筒型カットアウトであっても適用可能であり、汎用性の高い密閉栓用連結紐取り付け器具を提供することができる。また、密閉栓に一端が取り付けられた紐の他端が取り付けられ、間接活線工具により挟持される挟持部を備えたことにより、間接活線工具を用いて安全かつ容易に円筒型カットアウトへの取り付け及び取り外しが可能になる。
【００２０】
請求項２の発明によれば、本体挟持部が弾性部材で形成され、弾性部材の弾性力により本体部を挟持するので、間接活線工具を用いた円筒型カットアウトへの取り付け及び取り外しがより容易になる。
【００２１】
請求項３の発明によれば、本体挟持部が湾曲して形成された一対のアーム部により構成されているので、間接活線工具を用いてこの密閉栓用連結紐取り付け器具を円筒型カットアウトの本体部に押し込むことで取り付けが可能であり、引っ張ることで取り外しが可能になる。そのため、円筒型カットアウトへの取り付け及び取り外しが容易になる。
【００２２】
請求項４の発明によれば、本体挟持部の一対のアーム部の両端に、外側に屈曲して延設されている先端部が形成されているため、この密閉栓用連結紐取り付け器具が円筒型カットアウトの本体部に押し込まれると、それぞれ離間する方向に開く。これにより、円筒型カットアウトへの取り付けが容易になる。
【００２３】
請求項５の発明によれば、本体挟持部は、本体部に形成された突出部の間の溝部にて本体部を挟持することにより、円筒型カットアウトの軸方向に対して本体挟持部が動くのを防止するので、密閉栓用連結紐取り付け器具が安定して円筒型カットアウトに取り付けられる。
【図面の簡単な説明】
【００２４】
【図１】この発明の実施の形態に係る密閉栓用連結紐取り付け器具１の構成を示す図であり、密閉栓用連結紐取り付け器具１を示す平面図（ａ）、及び斜視図（ｂ）である。
【図２】図１の密閉栓用連結紐取り付け器具１が円筒型カットアウト１０に取り付けられた状態を示す正面図である。
【図３】電柱等の高所に設置されている円筒型カットアウト１０の例を示す正面図である。
【発明を実施するための形態】
【００２５】
以下、この発明を図示の実施の形態に基づいて説明する。
【００２６】
図１及び図２は、この発明の実施の形態に係る密閉栓用連結紐取り付け器具（以下、「取り付け器具」という。）１を示し、図１は、取り付け器具１を示す平面図（ａ）、及び斜視図（ｂ）である。この取り付け器具１は、図３に示したような円筒型カットアウト１０の密閉栓１３に一端が取り付けられた紐Ｒの他端を、本体部１１に取り付けて固定するための器具であり、主として、被挟持部２と、連結部３と、本体挟持部４とから構成されている。
【００２７】
被挟持部２は、取り付け器具１を円筒型カットアウト１０に取り付け及び取り外しをする際に、間接活線工具により挟持される箇所であり、樹脂等の電気絶縁性の高い絶縁部材により形成されている。この被挟持部２には、図１（ｂ）に示すように、紐Ｒを取り付けるための紐通し孔２１が設けられている。この紐通し孔２１には、紐Ｒの他端が通されて結束されている。
【００２８】
連結部３は、被挟持部２と本体挟持部４とを連結する部材であり、被挟持部２における間接活線工具で挟持される箇所の反対側かつ紐通し穴２１側に延設され、樹脂等の電気絶縁性の高い絶縁部材により形成されている。
【００２９】
本体挟持部４は、円筒型カットアウト１０の本体部１１を挟持する箇所であり、電気絶縁性が高く弾性体である絶縁部材により略Ｃ字形状に形成され、その弾性力により本体部１１を挟持するように設けられている。この本体挟持部４は、連結部３における被挟持部２が延設された箇所の反対側に左右に延設され、被挟持部２と連結されている。
【００３０】
この本体挟持部４は、連結部３の右側に延設されて湾曲している右湾曲部４ａと、連結部３の左側に延設されて湾曲している左湾曲部４ｂと、を有し、一対のアーム部を構成するように形成されている。右湾曲部４ａ及び左湾曲部４ｂは、挟持する円筒型カットアウト１０の本体部１１の形状に合わせて、湾曲して形成されている。右湾曲部４ａの先端には、外側に屈曲して延設されている右先端部（先端部）４１ａが設けられ、左湾曲部４ｂの先端には、外側に屈曲して延設されている左先端部（先端部）４１ｂが設けられている。右先端部４１ａ及び左先端部４１ｂは、本体挟持部４が円筒型カットアウトに押し込まれると右湾曲部４ａと左湾曲部４ｂとが互いに離間する方向に開くようにするため、右湾曲部４ａ及び左湾曲部４ｂの湾曲方向に対して外側に屈曲して形成されている。
【００３１】
次に、このような取り付け器具１の使用方法及び作用等について、以下に説明する。
【００３２】
図２は、図１の取り付け器具１が円筒型カットアウト１０に取り付けられた状態を示す正面図である。この円筒型カットアウト１０は、図３に示す円筒型カットアウト１０と同様である。
【００３３】
取り付け器具１を円筒型カットアウト１０に取り付ける場合、間接活線工具で被挟持部２を挟持し、間接活線工具を押圧して本体挟持部４を本体部１１の溝部１１ｂに押し込む。このとき、５つの溝部１１ｂのどこに押し込んでも良いが、紐１３ｂを長く保つ方が、後述するように密閉栓１３を取り外す際に便利であるため、下方の溝部１１ｂに押し込むことが望ましい。本体挟持部４が溝部１１ｂに押し込まれると、右先端部４１ａ及び左先端部４１ｂは、溝部１１ｂに沿って互いに離間する方向に開く。これにより、右湾曲部４ａと左湾曲部４ｂとが互いに離間する方向に開く。右先端部４１ａ及び左先端部４１ｂが溝部１１ｂの直径より大きく開き、溝部１１ｂが本体挟持部４の中心より内側に入り込むと、本体挟持部４の弾性力により右湾曲部４ａと左湾曲部４ｂとが互いに接近する方向に閉じる。これにより、本体挟持部４が溝部１１ｂを挟持し、取り付け器具１が円筒型カットアウト１０に取り付けられる。
【００３４】
取り付け器具１を円筒型カットアウト１０から取り外す場合、間接活線工具で被挟持部２を挟持し、本体部１１から離間する方向に引く。被挟持部２が引かれて力が加えられると、本体挟持部４にも力が加えられ、右先端部４１ａ及び左先端部４１ｂが溝部１１ｂに沿って互いに離間する方向に開く。これにより、右湾曲部４ａと左湾曲部４ｂとが互いに離間する方向に開く。右先端部４１ａ及び左先端部４１ｂが溝部１１ｂの直径より大きく開き、溝部１１ｂが本体挟持部４の中心より外側の位置になると、本体挟持部４の弾性力により右湾曲部４ａと左湾曲部４ｂとが互いに接近する方向に閉じる。これにより、本体挟持部４が溝部１１ｂから離間し、取り付け器具１が円筒型カットアウト１０から取り外される。さらに、間接活線工具で被挟持部２を引くことにより、密閉栓１３が開口部１２ａから取り外される。
【００３５】
このように、この円筒型カットアウト用密閉栓の連結紐取り付け器具１によれば、間接活線工具により、密閉栓１３に取り付けられた紐Ｒの他端が取り付けられている被挟持部２を挟持し、本体挟持部４を本体部１１の溝部１１ｂに押し込むことにより、本体挟持部４が溝部１１ｂを挟持し、取り付け器具１が円筒型カットアウト１０に取り付けられる。間接活線工具で被挟持部２を挟持して本体部１１から離間する方向に力を加えることにより、本体挟持部４が溝部１１ｂから離間し、取り付け器具１が円筒型カットアウト１０から取り外される。そのため、間接活線工具を用いて安全かつ容易に、円筒型カットアウト１０への取り付け及び取り外しが可能になる。
【００３６】
また、本体挟持部４がその弾性力により円筒型カットアウト１０を挟持するので、他のメーカの円筒型カットアウトであっても適用可能である。これにより、汎用性の高い円筒型カットアウト用密閉栓の連結紐取り付け器具を提供することができる。
【００３７】
さらに、本体挟持部４は溝部１１ｂを挟持するので、円筒型カットアウト１０の軸方向に対して本体挟持部４が動くのを防止するので、取り付け器具１が安定して円筒型カットアウト１０に取り付けられる。
【００３８】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態では、円筒型カットアウト１０が縦方向に設置されて開口部１２ａは円筒型カットアウト１０の下方に開口していたが、円筒型カットアウト１０はどのような方向に設置されていても良い。
【００３９】
また、紐Ｒは、密閉栓１３に孔が設けられてその孔に通されて結束されていたが、密閉栓１３と一体に形成されていても良い。
【００４０】
さらに、紐Ｒは、ワイヤー等、他の材料で構成されても良い。
【符号の説明】
【００４１】
１                          密閉栓用連結紐取り付け器具
２                          被挟持部
３                          連結部
４                          本体挟持部
４ａ                        右湾曲部
４ｂ                        左湾曲部
１０                        円筒型カットアウト
１１                        本体部
１１ａ                      突出部
１１ｂ                      溝部
１２                        本体下部
１２ａ                      開口部
１３                        密閉栓
１４                        電線接続部
１４ａ                      電線
１５                        電線接続部
１５ａ                      電線
１６                        固定部材
２１                        紐通し孔
４１ａ                      右先端部（先端部）
４１ｂ                      左先端部（先端部）
Ｒ                          紐
【図１】
2018081751.tif 000003
【図２】
2018081751.tif 000004
【図３】
2018081751.tif 000005